(57)【要約】      （修正有）【課題】放射線遮蔽効果を有し、軽量で且つ柔軟性を有する放射線遮断用柔軟性素材を提供する。【解決手段】可撓性を有すると共にその内外に多数の孔や空隙１１１が存在している基布１１と、鉛粉と粘着剤とから混合されてなり、前記鉛粉が散在して基布の孔や空隙１１１に嵌まりこむように基布１１の表面側に敷設されている鉛含有層２０とを有することを特徴とする。【選択図】図１
0003185432.tif 000002
【実用新案登録請求の範囲】
【請求項１】
可撓性を有すると共にその内外に多数の孔や空隙が存在している基布と、
鉛粉と粘着剤とから混合されてなり、前記鉛粉が散在して前記基布の孔や空隙に嵌まりこむように前記基布の表面側に敷設されている鉛含有層と、を有することを特徴とする放射線遮蔽用柔軟性素材。
【請求項２】
前記鉛含有層は、その含有する前記鉛粉および前記粘着剤のほぼ全てが前記基布の孔や空隙に嵌まりこんで、前記基布の表面近くにある内部構造と密接に結合して一体になっていることを特徴とする請求項１に記載の放射線遮蔽用柔軟性素材。
【請求項３】
前記鉛含有層は、前記基布の表面付近に位置する前記鉛粉が前記基布の表面における孔や空隙に嵌まり込むように、前記基布の表面と密に接していることを特徴とする請求項１に記載の放射線遮蔽用柔軟性素材。
【請求項４】
請求項１から請求項３のいずれか一項に記載の放射線遮蔽用柔軟性素材が数枚重なってなる放射線遮蔽用柔軟性素材。
【請求項５】
更にカバー層に包まれていることを特徴とする請求項１から請求項４のいずれか一項に記載の放射線遮蔽用柔軟性素材。
【考案の詳細な説明】
【技術分野】
【０００１】
本考案は、放射線遮蔽用素材に関し、詳しくは重量が軽く且つ柔軟性を有する放射線遮蔽用素材に関するものである。
【背景技術】
【０００２】
人体に有害な量の放射線から人体を保護する手段として、重金属であり放射線遮蔽効果を有する鉛が用いられている。例えば、放射線防護服は、一般に塊状やチップ状の鉛が生地と生地との間に密封されるように縫い付けられている。しかし、このような防護服は、鉛の比重が重いため、非常に重い上に、生地の柔軟性も損われるので、着心地が悪いどころではなく身動きすら取りにくくなる。故に、このような防護服は、日常生活で着られる様なものではなく、もっぱら緊急災害時など特殊な状況で用いられるのみである。しかし近年、放射線に被爆する危険性は特殊な状況のみならず日常生活の範囲にも潜んでいる。よって、日常的にも着られるような、一般の生地とあまり変わらない重さと柔軟性を保ちながらも、放射線遮蔽効果を持つ素材が求められている。
【考案の概要】
【考案が解決しようとする課題】
【０００３】
本考案は、上記事情に鑑みてなされたものであり、その目的は、軽量で且つ柔軟性を有する放射線遮蔽用柔軟性素材の提供にある。
【課題を解決するための手段】
【０００４】
上記目的を達成するために、本考案は、以下の放射線遮蔽用柔軟性素材を提供する。
【０００５】
本考案に係る放射線遮蔽用柔軟性素材は、可撓性を有すると共にその内外に多数の孔や空隙が存在している基布と、鉛粉と粘着剤とから混合されてなり、前記鉛粉が散在して前記基布の孔や空隙に嵌まりこむように前記基布の表面側に敷設されている鉛含有層とを有することを特徴とする。
【０００６】
また、上記構成において、前記鉛含有層は、その含有する前記鉛粉および前記粘着剤のほぼ全てが前記基布の孔や空隙に嵌まりこんで、前記基布の表面近くにある内部構造と密接に結合して一体になっていてもよい。この場合、鉛含有層の敷設方法としてはローラープレスによる押圧加工を用いると好ましい。
【０００７】
また、前記鉛含有層は、前記基布の表面付近に位置する前記鉛粉が前記基布の表面における孔や空隙に嵌まり込むように、前記基布の表面と密に接していてもよい。この場合、鉛含有層の敷設方法としては浸染、コーティング、一体射出成形を用いると好ましい。
【０００８】
更に、本考案は、上記の放射線遮蔽用柔軟性素材が数枚重なってなる放射線遮蔽用柔軟性素材をも提供する。
【０００９】
また、上記いずれかの放射線遮蔽用柔軟性素材は、更にカバー層に包まれているとよい。
【考案の効果】
【００１０】
上記いずれの放射線遮蔽用柔軟性素材によっても、鉛粉を有する鉛含有層が、基布と全体的にあるいは部分的に一体となるように敷設され、鉛粉が基布における孔や空隙に嵌まり込むように散在しているので、放射線遮蔽効果を有している上に、柔軟性が保たれており且つ軽量である。
【図面の簡単な説明】
【００１１】
【図１】本考案に係る放射線遮蔽用柔軟性素材の第１の実施形態を概略的に示す上視図である。
【図２】図１におけるＩＩの部分を拡大して示す拡大図である。
【図３】図１におけるＩＩＩ−ＩＩＩ線で切った断面図である。
【図４】上記第１の実施形態において押圧加工により鉛含有層が基布に敷設されている状況を示す概略図である。
【図５】図４における一部分を拡大して示す図である。
【図６】図４における他の一部分を拡大して示す図である。
【図７】本考案に係る放射線遮蔽用柔軟性素材の第２の実施形態を概略的に示す断面図である。
【図８】本考案に係る放射線遮蔽用柔軟性素材の第３の実施形態を概略的に示す断面図である。
【図９】本考案に係る放射線遮蔽用柔軟性素材の第４の実施形態を概略的に示す断面図である。
【図１０】本考案に係る放射線遮蔽用柔軟性素材の第５の実施形態を概略的に示す断面図である。
【考案を実施するための形態】
【００１２】
以下、添付図面を参照しながら、本考案の具体的な実施形態を詳細に説明する。
【００１３】
（第１の実施形態）
図１〜図３は、本考案に係る放射線遮蔽用柔軟性素材の第１の実施形態を概略的に示した図であり、本実施形態における放射線遮蔽用柔軟性素材は、基布１１と、鉛含有層２０とからなっている。
【００１４】
基布１１は、可撓性を有すると共にその内外に多数の孔や空隙１１１が存在している。基布１１を構成する材料としては、可撓性があり且つ多孔構造を有するもの、例えば不織布、繊維材料、樹脂材料、パルプ由来の材料あるいはこれらを組み合わせた混合材料を用いることができる。また、基布１１の厚みも本考案においては制限はなく、所望の放射線遮蔽効果が備わるように調整することができるが、２ｍｍ以上の厚みを有するように形成するとよい。
【００１５】
鉛含有層２０は、主に鉛粉２１と粘着剤２２とから混合されてなっており、鉛粉２１が散在して（図２参照）基布１１の上述した孔や空隙１１１に嵌まり込むように、基布１１の表面側に敷設されている。なお、鉛粉２１は、主に鉛金属を例えば研磨することで所定の粒径にした粉末であり、粘着剤２２は、粘着性を有する液体であり、鉛粉２１と基布１１とを結合する媒体となるものである。
【００１６】
本実施形態における、基布１１への鉛含有層２０の上記敷設態様を具体的に説明すると、鉛含有層２０は、図４〜図６に示されているようなローラープレスを用いた押圧加工により、その含有する鉛粉２１および粘着剤２２のほぼ全てが、基布１１の表面の孔から内部の空隙に嵌まり込むようにして、基布１１の表面近くにある内部構造と密接に結合している。即ち、鉛含有層２０は、基布１１に染み入るようにこれと一体になっている。
【００１７】
なお、上記ローラープレスによる押圧加工には、一般の印刷機を用いることができる。例えば、図４に示されているような上下１組のローラー１を数組有する印刷機を用いる場合、鉛含有層２０となる材料２０ａを塗料としてローラー１に予め塗布しておく。その後、基布１１をローラー１に通すと、鉛含有層２０となる材料２０ａが基布１１の表面に押圧されることにより、該材料２０ａ中の鉛粉２１が基布１１の孔や空隙１１１に粘着剤２２と共に入り込むと共に、ローラー１の押圧により基布１１の孔や空隙１１１が押し潰されるように狭まり、鉛含有層２０が基布１１と密接に結合して一体となるように形成される（図５参照）。
【００１８】
また、図４に示されているように、基布１１は数組のローラー１に通されるが、２組目以下のローラー１を通ると、上述のように鉛含有層２０となる材料２０ａが基布１１の表面に繰り返し押圧されることにより、基布１１の特に表面付近により多くの鉛粉２１が嵌まり込むようになる（図６参照）。よって、基布１１における鉛粉２１の密度は、押圧加工の回数（ローラー１の組数）により調節することができ、鉛粉２１の密度は放射線遮蔽効果に対応するので、本考案に係る放射線遮蔽用柔軟性素材は、製造工程の簡易な変更によりそれぞれ異なるレベルの放射線遮蔽効果を備えることができる。
【００１９】
なお、本考案において、鉛含有層２０の基布１１への敷設方法は上述したローラープレスによる押圧加工に限らず、他の方法、例えば、浸染、コーティング、一体射出成形などにより敷設しても構わない。
【００２０】
例えばコーティングにより敷設した場合には、鉛含有層２０は、基布１１の表面付近に位置する鉛粉２１および粘着剤２２のみが、基布１１の表面における孔や空隙１１１に嵌まり込むように、基布１１の表面と密に接するようになる。即ちこの場合、鉛含有層２０と基布１１とは全体が一体にはならず、それらの部分同士だけが重なって一体になる。
【００２１】
本考案は、鉛粉２１を有する鉛含有層２０が、上述したように基布１１と全体的にあるいは部分的に一体となるように敷設されており、鉛粉２１が基布１１における孔や空隙１１１に嵌まり込むように散在しているので、基布１１の柔軟性が損なわれていない上に、従来技術である鉛塊や鉛片を基布１１に固定した放射線遮蔽用素材と比べて遥かに軽量である。
【００２２】
つまり、本考案に係る放射線遮蔽用柔軟性素材は、例えば衣類、包装袋、食品容器、乗り物など、放射線の遮蔽が必要なあらゆる場に応用することができる。特に、本考案に係る放射線遮蔽用柔軟性素材によれば、軽量化および柔軟性の保持が果たされているので、日常的に着用できる衣類の素材として用いられることができる。
【００２３】
（第２の実施形態）
図７には本考案に係る放射線遮蔽用柔軟性素材の第２の実施形態が示されている。基布３１は上記第１の実施形態のように鉛含有層３０が一体となるように敷設されたものであるが、本実施形態では、この基布３１の一側表面に、印刷により更なる鉛含有層３０が積層されるように（図示では２層）設けられている。これにより第２の実施形態では放射線遮蔽効果が更に向上されている。
【００２４】
（第３の実施形態）
図８には本考案に係る放射線遮蔽用柔軟性素材の第３の実施形態が示されている。第２の実施形態とほぼ同じであるが、違いは、第２の実施形態では基布３１の一側表面に鉛含有層３０を積層したが、本実施形態では基布４１の両側表面にそれぞれ更に鉛含有層４０が基布４１と積層するように設けられている。
【００２５】
（第４の実施形態）
図９には本考案に係る放射線遮蔽用柔軟性素材の第４の実施形態が示されている。基布５１は上記第１の実施形態のように鉛含有層２０が一体となるように敷設されたものであるが、本実施形態ではこの基布５１が数枚（図示では３枚）重なって粘着結合されている。つまり、本実施形態に係る放射線遮蔽用柔軟性素材は第１の実施形態における放射線遮蔽用柔軟性素材が数枚重なってなったものである。これにより該素材の厚みが増すことで放射線遮蔽効果が更に向上されている。
【００２６】
（第５の実施形態）
図１０は本考案に係る放射線遮蔽用柔軟性素材の第５の実施形態が示されている。基布４１およびその両側表面に設けられている鉛含有層４０は第３の実施形態によるものと同じだが、本実施形態では更に、両方の鉛含有層４０の各表面がカバー層６０により覆われている。即ち本実施形態における放射線遮蔽用柔軟性素材は、第３の実施形態における放射線遮蔽用柔軟性素材が更にカバー層６０に包まれてなったものである。
【００２７】
カバー層６０は、例えば一枚をＰＥＴで、もう一枚をＰＶＣやＰＥ、ナイロンなどの樹脂で構成し、それら二枚を放射線遮蔽用柔軟性素材を包み込むように貼り合わせてから、例えば超音波溶着法を用いて溶着することで形成できる。
【００２８】
カバー層６０に包まれることで、本実施形態における放射線遮蔽用柔軟性素材は、鉛含有層４０から鉛粉が脱落することを防ぐことができる。よって、本実施形態に係る放射線遮蔽用柔軟性素材は、例えば一般の包装袋の材料に適している。
【００２９】
なお、更なる変化例として、カバー層６０は基布１１を直接包むように設けられてもよい。即ち、上記第１、第２、第４の実施形態における放射線遮蔽用柔軟性素材も、その外表がカバー層６０に包まれるようにしてなってもよい。
【００３０】
以上、本考案の好ましい実施形態を説明したが、本考案はこれに限定されるものではなく、その要旨を逸脱しない範囲で種々変更可能であることはいうまでもない。
【符号の説明】
【００３１】
１    ローラー
１１、３１、４１、５１    基布
２０ａ    材料
２０、３０、４０    鉛含有層
２１    鉛粉
２２    粘着剤
６０    カバー層
１１１    空隙
【図１】
0003185432.tif 000003
【図２】
0003185432.tif 000004
【図３】
0003185432.tif 000005
【図４】
0003185432.tif 000006
【図５】
0003185432.tif 000007
【図６】
0003185432.tif 000008
【図７】
0003185432.tif 000009
【図８】
0003185432.tif 000010
【図９】
0003185432.tif 000011
【図１０】
0003185432.tif 000012